(57)【要約】      （修正有）【課題】ラスターイメージの圧縮形態に基づき、トナー使用量を算出するための方法およびシステム。【解決手段】圧縮イメージデータは、第１のカラー領域にマップされたイメージを表す符号化されたデータを含む。その圧縮イメージは、第１のカラー領域における色と一致するイメージに関連付けられた各色の画素数を生成するため分析される。装置カラー領域が異なる場合、第２のカラー領域に変換され、総画素数が算出される。実際の動作から統計的データが利用可能であるとき、それまでの使用量が算出された画素数と比較され、低い近似誤差を有する近似的なトナー使用量という結果が算出される。先の統計データが利用可能でないときは、製造業者により記憶されているトナー使用量を使用し、その後その画素数を比較する。装置テーブルは、その時生成され、その後の使用量と考えられる計算値、実際の使用量統計値を含む調整されたテーブルを記憶する。【選択図】図２
2005338778.tif 000002
【特許請求の範囲】
【請求項１】
第１のカラー領域（  ｃｏｌｏｒ  ｓｐａｃｅ  ）にマップされた（  ｍａｐｐｅｄ  ）関連付けられたイメージを表している符号化されたデータを含む圧縮イメージデータを受信するよう適合された手段と、
前記第１のカラー領域の各カラーと関連付けられた画素を表す画素数（  ｐｉｘｅｌ  ｃｏｕｎｔ  ）を生成するため前記受け取った圧縮イメージデータを分析するよう適合された手段と、
を含むトナー使用量を算出するためのシステム。
【請求項２】
前記第１のカラー領域の各カラーと関連付けられた画素を表す画素数を、第２のカラー領域にマップされた同様な前記関連付けられたイメージの想定図（  ｒｅｎｄｅｒｉｎｇ  ）と関連付けられた画素数に変換するよう適合された変換手段をさらに含む請求項１のトナー使用量を算出するためのシステム。
【請求項３】
前記第２のカラー領域は、選択された出力装置と関連付けられている請求項２のトナー使用量を算出するためのシステム。
【請求項４】
特定のシリアル圧縮イメージデータ入力（  ｓｅｒｉａｌ  ｃｏｍｐｒｅｓｓｅｄ  ｉｍａｇｅ  ｄａｔａ  ｉｎｐｕｔｓ  ）から総画素数（  ａｇｇｒｅｇｅｔｅ  ｐｉｘｅｌ  ｃｏｕｎｔ  ）を算出するよう適合された結合手段（  ａｇｇｒｅｇａｔｉｎｇ  ｍｅａｎｓ  ）をさらに含む請求項３のトナー使用量を算出するためのシステム。
【請求項５】
前記総画素数と一致する総トナー使用量を表すトナー使用量信号を出力するよう適合された手段をさらに含む請求項４のトナー使用量を算出するためのシステム。
【請求項６】
前記第１のカラー領域は、黒および白である請求項１のトナー使用量を算出するためのシステム。
【請求項７】
前記第１のカラー領域は、三原色の加法混色法からなる請求項１のトナー使用量を算出するためのシステム。
【請求項８】
前記第１のカラー領域は、三原色の減法混色法からなる請求項１のトナー使用量を算出するためのシステム。
【請求項９】
前記第２のカラー領域は、減法混色法（  ｓｕｂｔｒａｃｔｉｖｅ  ）、三原色以外（  ｎｏｎ−ｐｒｉｍａｒｙ  ｃｏｌｏｒｓ  ）からなる請求項１のトナー使用量を算出するためのシステム。
【請求項１０】
前記第２のカラー領域は、三原色の減法混色法からなる請求項１のトナー使用量を算出するためのシステム。
【請求項１１】
前記第１のカラー領域は、黒および白である請求項１のトナー使用量を算出するためのシステム。
【請求項１２】
第１のカラー領域にマップされた関連付けられたイメージを表している符号化されたデータを含む圧縮イメージデータを受信し、
前記第１のカラー領域の各カラーと関連付けられた画素を表す画素数を生成するため前記受け取った圧縮イメージデータを分析するトナー使用量を算出するための方法。
【請求項１３】
前記第１のカラー領域の各カラーと関連付けられた画素数を、第２のカラー領域にマップされた同様な前記関連付けられたイメージの想定図と関連付けられた画素を表す画素数に変換する工程をさらに含む請求項１２のトナー使用量を算出するための方法。
【請求項１４】
前記第２のカラー領域は、選択された出力装置と関連付けられている請求項１３のトナー使用量を算出するための方法。
【請求項１５】
特定のシリアル圧縮イメージデータ入力から総画素数を算出する工程をさらに含む請求項１４のトナー使用量を算出するための方法。
【請求項１６】
前記総画素数と一致する総トナー使用量を表すトナー使用量信号を出力する工程をさらに含む請求項１５のトナー使用量を算出するための方法。
【請求項１７】
前記第１のカラー領域は、黒および白である請求項１２のトナー使用量を算出するための方法。
【請求項１８】
前記第１のカラー領域は、三原色の加法混色法からなる請求項１２のトナー使用量を算出するための方法。
【請求項１９】
前記第１のカラー領域は、三原色の減法混色法からなる請求項１２のトナー使用量を算出するための方法。
【請求項２０】
前記第２のカラー領域は、減法混色法、三原色以外からなる請求項１２のトナー使用量を算出するための方法。
【請求項２１】
前記第２のカラー領域は、三原色の減法混色法からなる請求項１２のトナー使用量を算出するための方法。
【請求項２２】
前記第１のカラー領域は、黒および白である請求項１２のトナー使用量を算出するための方法。
【請求項２３】
第１のカラー領域にマップされた関連付けられたイメージを表している符号化されたデータを含む圧縮イメージデータを受信するよう適合された手段と、
前記第１のカラー領域の各カラーと関連付けられた画素を表す画素数を生成するため前記受け取った圧縮イメージデータを分析するよう適合された手段と、
を含むトナー使用量を算出するためのコンピュータ可読媒体。
【請求項２４】
前記第１のカラー領域の各カラーと関連付けられた画素を表す画素数を、第２のカラー領域にマップされた同様な前記関連付けられたイメージの想定図と関連付けられた画素数に変換するよう適合された変換手段をさらに含む請求項２３のトナー使用量を算出するためのコンピュータ可読媒体。
【請求項２５】
前記第２のカラー領域は、選択された出力装置と関連付けられている請求項２４のトナー使用量を算出するためのコンピュータ可読媒体。
【請求項２６】
特定のシリアル圧縮イメージデータ入力から総画素数を算出するよう適合された集約手段をさらに含む請求項２４のトナー使用量を算出するためのコンピュータ可読媒体。
【請求項２７】
前記総画素数と一致する総トナー使用量を表すトナー使用量信号を出力するよう適合された手段をさらに含む請求項２４のトナー使用量を算出するためのコンピュータ可読媒体。
【請求項２８】
第１のカラー領域にマップされた関連付けられたイメージを表している符号化されたデータを含む圧縮イメージデータを受信し、
前記第１のカラー領域の各カラーと関連付けられた画素を表す画素数を生成するため前記受け取った圧縮イメージデータを分析するトナー使用量を算出するためのコンピュータに用いられる方法。
【請求項２９】
前記第１のカラー領域の各カラーと関連付けられた画素数を、第２のカラー領域にマップされた同様な前記関連付けられたイメージの想定図と関連付けられた画素を表す画素数に変換する工程をさらに含む請求項２８のトナー使用量を算出するためのコンピュータに用いられる方法。
【請求項３０】
前記第２のカラー領域は、選択された出力装置と関連付けられている請求項２９のトナー使用量を算出するためのコンピュータに用いられる方法。
【請求項３１】
特定のシリアル圧縮イメージデータ入力から総画素数を算出する工程をさらに含む請求項３０のトナー使用量を算出するためのコンピュータに用いられる方法。
【請求項３２】
前記総画素数と一致する総トナー使用量を表すトナー使用量信号を出力する工程をさらに含む請求項３１のトナー使用量を算出するためのコンピュータに用いられる方法。
【発明の詳細な説明】
【技術分野】
【０００１】
本発明は、トナー使用量を算出するためのシステムおよび方法に関する。特に、本発明は、圧縮イメージデータ（  ｃｏｍｐｒｅｓｓｅｄ  ｉｍａｇｅ  ｄａｔａ  ）から使用量あるいはトナーの適用範囲（  ｃｏｖｅｒａｇｅ  ）の割合（  ｐｅｒｃｅｎｔ  ）を計算するためのシステムおよび方法に関する。
【背景技術】
【０００２】
事務所および製造環境において報告される消耗品（  ｃｏｎｓｕｍａｂｌｅｓ  ）は、ドキュメント処理装置、特に多機能周辺機器、の全てのタイプにおいて、高度な機能が要求される。多くのユーザは、プリントされたページ、並びに、ユーザが使用した日時の全て、ユーザのグループあるいは部門（  ｄｅｐａｒｔｍｅｎｔ  ）を明らかにする機能、を有するジョブ集計機能（  ａ  ｊｏｂ  ａｃｃｏｕｎｔｉｎｇ  ｆｅａｔｕｒｅ  ）を期待している。トナーあるいはインクの適用範囲の割合を見積もることは、必要とされた大容量のデータのためのソフトウェアを操作するうえで難しい作業である。例えば、１頁６００ｄｐｉの書面は、圧縮されていない形式で４メガバイトのデータを含む。５％の適用範囲で、これは内輪な見積もりであるが、その頁で２１０３７５ブラックピクセル（  ｂｌａｃｋ  ｐｉｘｅｌｓ  ）を必要とするだろう。１頁１２００ｄｐｉは、１頁で、４倍の１６メガバイトのデータおよび８４１５００ブラックピクセルという結果になるであろう。
【０００３】
その時間および記憶領域（  ｓｔｏｒａｇｅ  ｓｐａｃｅ  ）は、ソフトウェアで解決することを実際的でないものとする小さめサイズの頁上の多くの画素をカウントおよび位置することを必要としている。最大の解決策は、パーセント適用範囲（  ｐｅｒｃｅｎｔ  ｃｏｖｅｒａｇｅ  ）を判断する特別なハードウェアを含み、トナー使用量を報告することでトナーカートリッジを変更することである。
【０００４】
より少ない資源の消費量（  ｒｅｓｏｕｒｃｅ  ｃｏｎｓｕｍｐｔｉｏｎ  ）でより高い処理スピードを達成するため、それらを伸張することなく、そのラスターイメージ（  ｒａｓｔｅｒ  ｉｍａｇｅ  ）の圧縮形態に基づき、ソフトウェアを使用してトナー使用量を算出するための方法およびシステムが必要とされている。
【発明の開示】
【課題を解決するための手段】
【０００５】
［発明の概要（  ｓｕｍｍａｒｙ  ｏｆ  ｔｈｅ  ｉｎｖｅｎｔｉｏｎ  ）］
本発明によると、より少ない資源の消費量でより高い処理スピードを達成するため、それらを伸張することなく、そのラスターイメージの圧縮形態に基づき、ソフトウェアを使用してトナー使用量を算出するための方法およびシステムが提供される。
【０００６】
さらに、本発明によると、実際の消費量の統計に基づく、近似誤差を最小にするトナー使用量を算出するための方法およびシステムが提供される。
【０００７】
またさらに、本発明によると、装置カラー領域における各色の画素数から、十分に低く抑えられた誤差（  ｌｏｗ  ｂｏｕｎｄｅｄ  ｅｒｒｏｒ  ）でトナー使用量を算出するための方法およびシステムが提供される。
【０００８】
またさらに、本発明によると、トナー使用量を算出するためのシステムが提供される。このシステムは、第１のカラー領域にマップされた関連付けられたイメージを表している符号化されたデータを含む圧縮イメージデータを受信するよう適合された手段を含む。また、そのシステムは、前記第１のカラー領域の各カラーと関連付けられた画素を表す画素数を生成するため前記受け取った圧縮イメージデータを分析するよう適合された手段を含む。
【０００９】
またさらに、本発明によると、トナー使用量を算出するための方法が提供される。この方法は、第１のカラー領域（  ｃｏｌｏｒ  ｓｐａｃｅ  ）にマップ（  ｍａｐ  ）された関連付けられたイメージを表している符号化されたデータを含む圧縮イメージデータを受信する肯定を含む。また、この方法は、前記第１のカラー領域の各カラーと関連付けられた画素を表す画素数を生成するため前記受け取った圧縮イメージデータを分析する工程を含む。
【００１０】
本発明による方法およびシステムのより好ましい実施の形態において、圧縮アルゴリズム（  ｃｏｍｐｒｅｓｓｉｏｎ  ａｌｇｏｒｉｔｈｍｓ  ）は、ＪＰＥＧおよびＬＺＷを含む。
【００１１】
本発明に係るそれらおよびその他の一態様、機能および利益は、この明細書を読み理解しているその分野における知識・技術を持っている当業者によって理解されるであろう。
【発明を実施するための最良の形態】
【００１２】
［より好ましい実施の形態の詳細な説明］
次に、同一物を導くためではなく、より好ましい実施の形態を例証している図について説明する。図１を参照すると、本発明によるトナー使用量を計算するための代表的なシステム１００が示されている。そのシステム１００は、コントローラ１０４を適宜含む多機能周辺機器１０２を含む。その多機能周辺機器という語（  ｔｅｒｍ  ｍｕｌｔｉｆｕｎｃｔｉｏｎ  ｐｅｒｐｈｅｒａｌ  ）は、一般にコピー機、ファクシミリ機、スキャナおよびプリンタのような多様なタスク（  ｔａｓｋ  ）を実行可能な装置を参照すると認識されるであろう。そのシステム１００の多機能周辺機器１０２は、多くの場合、コミュニケーション構成要素およびメモリが関連付けられたプロセッサ構成要素を含んでいる。そのコントローラ１０４は、多機能周辺機器１０２に動作を指示し、多機能周辺機器１０２と他の機器との間を通信可能とし、その多機能周辺機器１０２を制御する機能を有する。
【００１３】
例えば、図１に示されているように、システム１００は、多機能コンピュータ１０６，１０８が多機能周辺機器１０２の機能を使用し、通信すること可能にするコンピュータネットワーク１１０上に存在している。そのネットワーク１１０は、その分野で理解されている適切なネットワーク、例えばこれらに限られないが、イーサネット、トークンリング、あるいはインターネットであってよい。そのコンピュータ１０６および１０８は、コンピュータネットワーク１１０によって、コントローラ１０４を通して多機能周辺機器１０２へデータを送信する。多機能周辺機器１０２はコンピュータネットワーク１１０と連結されるのではなく、むしろ、独立方式（  ｓｔａｎｄ−ａｌｏｎｅ  ｍｏｄｅ  ）、例えば単一のコンピュータと連結されることが必要であるということは、その分野でそのような知識・技術を持っているものによって認識されるであろう。
【００１４】
その知識・技術を持っている当業者は、そのような独立構成が、それに関して（  ｗｉｔｈ  ｒｅｓｐｅｃｔ  ｔｈｒｅｒｏｎ  ）、本発明の動作に影響を与えないと理解するであろう。その多機能周辺機器１０２は、また、インク（トナー）カートリッジ、プリンティングヘッド、およびそのようなもの（図示せず）を含んでいる。それらの分野の知識・技術を持っているものは、多機能周辺機器１０２は、例えば、東芝ｅ−スタジオシリーズ制御装置（  Ｔｏｓｈｉｂａ  ｅ−Ｓｔｕｄｉｏ  Ｓｅｒｉｅｓ  Ｃｏｎｔｒｏｌｌｅｒ  ）、しかしこれに限られないものを含む、その分野の知識・技術により知られているいかなる多機能周辺機器であってもよいと認識するであろう。
【００１５】
次に、図２を参照すると、本発明の方法のフローチャートが示されている。ステップ２０２において開始され、多機能周辺機器１０２のコントローラ１０４が圧縮されたイメージデータを受信する。そのコード化されたデータは、多くの場合、イメージを表し、第１のカラー領域（  ｃｏｌｏｒ  ｓｐａｃｅ  ）にマップされている。ラスターイメージ（  ｒａｓｔｅｒ  ｉｍａｇｅｓ  ）を生成するために使用される圧縮のタイプは、例えば、ＬＺＷあるいはＪＰＥＧであると、その分野の知識・技術を持っているものによって認識されるであろう。しかしながら、そのイメージの圧縮は、もっぱらそれらに限定される必要はなく、むしろ知識・技術を持っている当業者により、係る本発明は、他の圧縮方法で適切に使用されてもよいことは認識されるであろう。そのデータは、ドキュメント、写真質プリント、あるいは多機能周辺機器１０２のプリント部によって出力される他のファイルに限定される必要はない。その分野で理解されるものとして、カラー領域は、三次元マップ（  ｔｒｉｄｉｍｅｎｓｉｏｎａｌ  ｍａｐ  ）によって表わされたカラーの特定のモデルが一般的である。例えば、三原色、赤、緑、青を含むカラー領域、すなわち一般にＲＧＢカラー領域と言われているものを使用している陰極線管（  ｃａｔｈｏｄｅ  ｒａｙ  ｔｕｂｅ  ）あるいはテレビジョンである。
【００１６】
ステップ２０２において圧縮されたイメージデータを受信した後、そのイメージデータは、ステップ２０４において復元されることなく分析される。その圧縮されたデータのテーブルコード（  ｔａｂｌｅ  ｃｏｄｅｓ  ）は、ステップ２０８において、第１のカラー領域のそれぞれのカラーに関連付けられた画素を表わしている画素数（  ａ  ｐｉｘｅｌ  ｃｏｕｎｔ  ）を生成するため、ステップ２０６で、適宜アクセスされる。係る発明は、最終装置カラー領域（  ｔｈｅ  ｆｉｎａｌ  ｄｅｖｉｃｅ  ｃｏｌｅｒ  ｓｐａｃｅ  ）における各色の画素数（  ｔｈｅ  ｎｕｍｂｅｒ  ｏｆ  ｐｉｘｅｒ  ）から、十分に低く抑えられた誤差（  ｌｏｗ  ｂｏｕｎｄｅｄ  ｅｒｒｏｒ  ）で計算されたトナー使用量を提供することができる。
【００１７】
さらに、そのシステムは、ステップ２１０において、第１のカラー領域は装置カラー領域と同じであるかどうかが、必ず判断される。ステップ２１０におけるその判断が、カラー領域が同じものであることを表わしている場合、その方法はステップ２１２に進み、シリアル圧縮イメージデータ入力からの総画素数（  ａｎ  ａｇｇｒｅｇａｔｅ  ｐｉｘｅｌ  ｃｏｕｎｔ  ）を算出する。ステップ２１４において、総画素数に応じた総トナー使用量でのトナー使用量信号（  ａ  ｔｏｎｅｒ  ｕｓａｇｅ  ｓｉｇｎａｌ  ）を出力する。
【００１８】
ステップ２１０に戻って、第１のカラー領域と第２のカラー領域が同じカラーモデルに基づくものでないと判断された場合、その方法は、ステップ２１６に進んで、その第１のカラー領域からの画素数が、第２のカラー領域からの画素数に変換される。さらに、ＲＧＢカラー領域におけるモニター（  ｍｏｎｉｔｏｒ  ）からの出力は変換され、シアン、マゼンダ、イエローおよびブラックの多機能周辺機器１０２のカラー領域にマップされ、ステップ２１６において通例、ＣＭＹＫとして参照されることができる。第２のカラー領域は、結果、ステップ２１８において、選ばれた出力装置、例えば多機能周辺機器１０２と関連付けられている。ステップ２１８は、第２のカラー領域のだいたいが装置カラー領域であると同じくらい、一般的に必要不可欠なものではないと、その分野での知識・技術を持っているものによって認識されるであろう。しかしながら、代わりの実施の形態で、ステップ２１８は、ラスターイメージが装置カラー領域と同じカラー領域で生成されない場合に、用いられる。その知識・技術を持っている当業者は、そのような事は珍しいが、その出来事（  ｏｃｃｕｒｒｅｎｃｅ  ）は、係る発明の機能に強い影響を与えることはないであろうと、認識するであろう。その方法は、ステップ２１２に進み、シリアル圧縮イメージデータ入力からの総画素数が算出された場合、第２のカラー領域が用いられる。ステップ２１４において、第２のカラー領域の総画素数に応じた総トナー使用量のトナー使用量信号が出力される。カラー領域は、これに限られず、ブラックおよびホワイト、単色カラー、三原色の加法混色法（  ａｄｄｉｔｉｖｅ  ｐｒｉｍａｒｙ  ｃｏｌｏｒｓ  ）、スポットカラー（  ｓｐｏｔ  ｃｏｌｏｒｓ  ）、減法混色法（  ｓｕｂｔｒａｃｔｉｖｅ  ）、三原色以外の色（  ｎｏｎ−ｐｒｉｍａｒｙ  ｃｏｌｏｒｓ  ）、あるいは三原色の減法混色法（  ｓｕｂｔｒａｃｔｉｖｅ  ｐｒｉｍａｒｙ  ｃｏｌｏｒｓ  ）であってもよい、とその分野の知識・技術を持っているものによって認識されるであろう。
【００１９】
図３に示されている通り、画素数が与えられ正確な結果を持続している動作中において、使用された実際のトナー量を得るため、その方法は、統計データを比較する。ステップ３０２において開始され、その方法は、上述のとおり判断されたとして、画素使用数（  ｐｉｘｅｌ  ｕｓａｇｅ  ｃｏｕｎｔ  ）の入力を受信する。そのシステムは、ステップ３０４で、実際の動作からの統計データ（  ｓｔａｔｉｓｔｉｃａｌ  ｄａｔａ  ）があるか否かを判断する。トナー使用量に関係している前記データが、装置テーブルに記憶されていることが判断された場合、これまでのそのデータを含んでいる装置テーブルが、入力画素使用数（  ｉｎｐｕｔ  ｐｉｘｅｌ  ｕｓａｇｅ  ｃｏｕｎｔ  ）と比較される。その装置テーブルは、ステップ３１４において、トナー使用量に関する新しい計算値（  ｃａｌｃｕｌａｔｉｏｎ  ）を表すよう調整され、調節された装置テーブルは、ステップ３１６において記憶される。
【００２０】
次に、ステップ３０４において、統計に基づく情報が使用可能でない場合、そのシステムは、ステップ３０６において、初期の製造業者インストールテーブル（  ｔｈｅ  ｉｎｉｔｉａｌ  ｍａｎｕｆａｃｔｕｒｅｒ  ｉｎｓｔａｌｌｅｄ  ｔａｂｌｅｓ  ）にアクセスする。一般的に言って、それらインストールテーブルは、生産ライン装置（  ｐｒｏｄｕｃｔｉｏｎ  ｌｉｎｅ  ｍａｃｈｉｎｅｓ  ）の実際のテストラン（  ｔｅｓｔ  ｒｕｎｓ  ）の間行なわれた測定に基づいている。そのようなテストは、その業界において一般的なことである、とその分野の知識・技術を持っている者によって認識されるであろう。その製造業者テーブルデータは、入力画素使用数と比較され、ステップ３０８において、前もって図２に説明したようなものを得る。この比較が完了すると、そのシステムは、ステップ３１０において、物質的なトナー消費量の測定値に基づく実際のトナー消費量でそのテーブルをアップデートする。
【００２１】
ステップ３１０の比較に引き続き、そのシステムはステップ３１４に進み、新たなテーブルが、多機能周辺機器１０２が実際の動作中である以上、実際の消費量に基づき調整される。その調整は、ステップ３１４において完了されたとして、その対応するカラーの総画素数出力による着色料ごとに、トナー消費量の総量を分けること（  ｄｉｖｉｄｉｎｇ  ）を適切に含む。その調整あるいはアップデートされたテーブルは、その時、ステップ３１６において、多機能周辺機器１０２によって記憶される。
【００２２】
前述の本発明のより好ましい実施の形態に関する説明は、図示や説明の目的のため提供されている。本発明は、開示された正確な形態に限定し、あるいは徹底されることを意図していない。明らかな修正や変更は、上述の教示が考慮されて可能である。例えば、上述の説明は、上述の多機能周辺機器１０２のコントローラ１０４における方法を達成するための指示のコンピュータにより判読可能な媒体が適切に適用されてもよい。本実施の形態は、本発明の代表的な最良の一例を提供するため選ばれ説明されたものであって、その実用的な応用性は、その結果、この分野の通常の技術や知識を習得した者により、本発明の様々な実施の形態および意図される実用的な使用に適した様々な修正・変更を有効に利用されることができる。そのような修正や変更の全ては、公正に、法的に、かつ公平に権利が与えられている広さと一致していると解釈されたとき、添付された請求項によって決定されるとして、本発明の範囲内である。
【図面の簡単な説明】
【００２３】
【図１】本発明による代表的なシステムのブロック図である。
【図２】本発明によるソフトウェアアップデートの有効性を明らかにするフローチャートを示す。
【図３】遠隔コンピュータシステムにソフトウェアアップデートを提供する方法のフローチャートを示す。
【符号の説明】
【００２４】
１０２・・・サーバー、１０４・・・ローカルエリアネットワーク、１０６・・・データベース、１０８・・・サーバー。
【図１】
2005338778.tif 000003
【図２】
2005338778.tif 000004
【図３】
2005338778.tif 000005
【外国語明細書】
2005338778000001.pdf